(57)【要約】【課題】  カーペットの裏面側にデッキボードの先端部をブラインド作業によって正確に組付けることができるようにすることである。【手段】  デッキボード１の裏面側に一体に設けたリブ１０にフック嵌合部１０Ａを設け、該フック嵌合部１０Ａにカーペット延長部３Ａの裏面に設けたフック２が嵌合するようにしたことを特徴とする。【選択図】          図１
2007091134.tif 000002
【特許請求の範囲】
【請求項１】
シートバックの下端から延在するカーペット延長部と荷室側のデッキボードとを接合するカーペット連結装置において、
前記カーペット延長部の裏面に設けられて前記デッキボードの先端部が差し込まれるフックと、
前記デッキボードの裏面側に一体に設けたリブに設けて前記フックを嵌合するフック嵌合部とからなるカーペット連結装置。
【請求項２】
前記フックは断面略コ字状で、その一端部をカーペットに縫着し、先端に内方に折曲する係止突部を設け、
この係止突部が嵌合する前記フック嵌合部はリブの一部を略Ｕ字状に切欠形成してなる請求項１記載のカーペット連結装置。
【発明の詳細な説明】
【技術分野】
【０００１】
本発明は、シートバックの下端から延在するカーペット延長部と荷室側のデッキボードとを接合して、カーペット延長部とデッキボードとの一体感を出すためのカーペット連結装置に関するものである。
【背景技術】
【０００２】
従来、このような分野の技術として、特開平９−１０９７６１号公報がある。この公報に記載されたカーペット連結装置において、カーペット延長部の後端の板状支持部材から切り起こされた凸部は、荷室側のデッキボードの通孔内に弾力的に押し込まれる。これによって、カーペット延長部とデッキボードとを連結し、荷室に一体感を出すことができる。また、カーペット延長部とデッキボードとの連結を解除する必要が生じた場合には、カーペット延長部の凸部をデッキボードの通孔から抜き出すように、カーペット延長部のみを持ち上げる。このように、従来のカーペット連結装置は、カーペット延長部の凸部を荷室側のデッキボードの通孔内に単に押し込むだけでよく、組み付け作業が容易である。
【０００３】
【特許文献１】特開平９−１０９７６１号公報
【発明の開示】
【発明が解決しようとする課題】
【０００４】
前述した従来のカーペット連結装置は、デッキボード側に通孔が設けられており、カーペット延長部側から凸部が出ているので、目視により、カーペット延長部の遊端部分をデッキボードの遊端部分に比較的容易に重ね合わせ固定することができる。しかしながら、特許文献１の図７及び図８に示すようなカーペット連結装置では、カーペット延長部の遊端部分とデッキボードの遊端部分とを重ね合わせ固定する際に、クリップや面ファスナが利用されているので、目視により固定箇所を探し難く、カーペット延長部をデッキボードに組み付ける際の作業性が悪いといった問題点があった。
【０００５】
本発明は、カーペット延長部とデッキボードとの重ね合わせ固定作業を容易にしたカーペット連結装置を提供することを目的とする。
【課題を解決するための手段】
【０００６】
本発明に係るカーペット連結装置は、シートバックの下端から延在するカーペット延長部と荷室側のデッキボードとを接合するカーペット連結装置において、
前記カーペット延長部の裏面に設けられて前記デッキボードの先端部が差し込まれるフックと、
前記デッキボードの裏面側に一体に設けたリブに設けて前記フックを嵌合するフック嵌合部とからなることを特徴とする。
【０００７】
従って、このカーペット連結装置は、デッキボードの先端部をフックに差し込むと、フックがデッキボードに設けたフック嵌合部に嵌合するので、カーペット延長部の遊端部分とデッキボードの遊端部分とを正確に重ね合わせることができる。
その結果として、カーペット延長部の裏面側に隠れているフックとデッキボード側の先端部とを、目視作業すなわちブラインド作業によって正確に位置合わせをすることができる。
【発明の効果】
【０００８】
本発明によれば、簡単な構成をもって、カーペット延長部とデッキボードとの重ね合わせ固定作業を正確且つ容易に行うことができる。
【発明を実施するための最良の形態】
【０００９】
以下、図面を参照しつつ本発明に係るカーペット連結装置の好適な実施形態について詳細に説明する。
【００１０】
本発明に係るカーペットの連結装置は図５に示す自動車用リャシートに装着される。こ  のリャシートは前方に起立可能なシートクッションＳＣとブラケット６に前倒可能に取付けたシートバックＳＢとから構成されている。
【００１１】
以上のシートバックＳＢの背面にはカーペット３が貼着され、このカーペット３はシ  ートバックＳＢの後端から後方に延長され、この延長した部分をカーペット延長部３  Ａとする。
【００１２】
このカーペット延長部３Ａの遊端３０裏面にフック２を縫着してデッキボード１の先端部の先端が差し込まれるように構成され、デッキボードのフック２に対する差し込みによってカーペット延長部３Ａとデッキボード１が着脱自在に連結される。
【００１３】
デッキボード１は硬質の合成樹脂で、裏面側に縦横にリブ１０、２０を一体に成形して、補強している。
【００１４】
また、デッキボード１の先端部１０１は図１、３、４に示すように、ヘ字状に成形され、フック２に差し込み易く、また、フック２に対する連結性を向上させている。
そして、このデッキボード１の先端部１０１裏面における縦リブ１０に、略Ｕ字状に切欠したフック嵌合部１０Ａが設けてある。
【００１５】
一方、フック２はカーペット延長部３Ａの遊端部３０の裏面における遊端縁に対して少し奥まった位置に縫着されている。
【００１６】
フック２はポリプロピレンなどの合成樹脂で断面略コ字状に成形し、基端部２１を開放口がデッキボード１方向に向くように、前記遊端部３０に縫着している。
【００１７】
そして、フック２の先端には内方に折曲する係止突部２０が図３に示すように設けてあり、この係止突部２０は内、外方に弾性変形するように成形されている。
【００１８】
なお、図中１２，３２は相互に係合する面状ファスナーを示す。
【００１９】
以上の如く、フック２とフック嵌合部１０Ａが設けてあるため、図３に示すように、デッキボード１をカーペット延長部３Ａ方向にスライドさせると、デッキボード１の先端部１０１が、フック２内に差し込まれる。
【００２０】
その際、フック２の係止突部２０がデッキボード１の先端部１０１における先端縁を乗り越えてフック嵌合部１０Ａに嵌合して固定されるので、この固定時にクリック感が発生する。
【００２１】
このクリック感により、デッキボード１がカーペット延長部３Ａに連結されたことが容易に判断される。
【００２２】
加えて、前記デッキボード１の差し込み時に、デッキボード１の先端部１０１における先端縁が、フック２の係止突部２０に突き当たる。
【００２３】
従って、デッキボード１の差し込みがフック２に対する所定位置までスライドしたことが判る。そのため、デッキボード１のフック２に対する差し込みを正確に行うことができる。
【００２４】
このように、目視作業すなわちブラインド作業によって、カーペット延長部３Ａの遊端部３Ａとデッキボード１の遊端部分とを正確に重ね合わせることができ、カーペット延長部３Ａをデッキボード１に組み付ける作業性が極めて良好になる。
【００２５】
なお、デッキボード１をカーペット延長部３Ａに差し込み後は、図１に示すように面状ファスナー１２、３２を相互に係合して、デッキボード１のカーペット延長部３Ａから離脱を防止する。
【図面の簡単な説明】
【００２６】
【図１】本発明の要部を示す断面図である。
【図２】図１のII―II線断面図である。
【図３】要部の分解断面図である。
【図４】要部の分解斜視図である。
【図５】本発明を適用するリャシートとデッキボードを示す断面図である。
【符号の説明】
【００２７】
１…デッキボード、２…フック、３Ａ…カーペット延長部、１０…リブ、１０Ａ…フック嵌合部、２１…フックの係止突部。
【図１】
2007091134.tif 000003
【図２】
2007091134.tif 000004
【図３】
2007091134.tif 000005
【図４】
2007091134.tif 000006
【図５】
2007091134.tif 000007